(57)【要約】【課題】人間の脊椎はＳ字形をしているのが自然で健康な形であるが、この形を維持又は矯正する。【解決手段】仰臥姿勢（あおむけ）をとった時に、腰椎の応当する部分を押圧するための腰当て具１１を用意し、それを保持するため、腰回り固定具１２の腰椎応当部位に形成されたポケット１ａに腰当て具１１を入れて、腰回り固定具１２を身体に装着することで腰椎を支持し矯正する。【選択図】        図１
2004229783.tif 000002
【特許請求の範囲】
【請求項１】
腰当て具と腰回り固定具からなる腰椎矯正具において、腰回り固定具（１２）の腰椎応当部位にポケット１ａを形成する、あるいは腰回り固定具（１２）を２枚重ねて使用するなど２枚以上の帯状を使用して、腰当て隙間程度の径をもつ腰当て具（１１、２１、３１、４１、５１）が露出しないように挟み込んで保持するようにした腰椎矯正具。
【請求項２】
腰当て具と腰回り固定具からなる腰椎矯正具において、腰回り固定具（１２、２２）の腰椎応当部位に腰当て具収納体（２９）を形成し、前記腰当て具収納体（２９）に腰当て隙間程度の径をもつ腰当て具（１１、２１、３１、４１、５１、６１）を収納した腰椎矯正具。
【請求項３】
腰当て具と腰回り固定具からなる腰椎矯正具において、腰当て隙間程度の径をもつ腰当て具（１１、３１、４１、５１、６１）に脊椎骨の当たりを防ぐ脊椎保護部（１６、３６、４６、５６、６６）がある腰椎矯正具。
【請求項４】
腰当て具と腰回り固定具からなる腰椎矯正具において、腰当て隙間程度の径をもつ腰当て具（２１、３１、４１）が中空である腰椎矯正具。
【請求項５】
腰当て具と腰回り固定具からなる腰椎矯正具において、腰当て隙間程度の径をもつ腰当て具（４１）が中空であり、かつホース状である腰椎矯正具。
【請求項６】
腰当て具と腰回り固定具からなる腰椎矯正具において、腰当て隙間程度の径をもつ腰当て具（２１、３１、４１）が中空であり、前記腰当て具（２１、３１、４１）の中空部に気体等の充填物が充填された腰椎矯正具。
【請求項７】
腰当て具と腰回り固定具からなる腰椎矯正具において、腰当て隙間程度の径をもつ腰当て具（２１、３１、４１、５１、６１）の断面が円形である腰椎矯正具。
【請求項８】
腰当て具と腰回り固定具からなる腰椎矯正具において、腰当て隙間程度の径をもつ腰当て具（１１、３１，４１）の一部にベルト取付部（１４、３４、４４）があり、前記ベルト取付部（１４、３４、４４）に腰回り固定具（２２、４２）を取り付けた腰椎矯正具。
【請求項９】
腰当て具と腰回り固定具からなる腰椎矯正具において、腰回り固定具（５２）が腰回りを押さえるように弾力的に可動する腰椎矯正具。
【請求項１０】
腰回り固定具（５２）と当て具本体（５３）が一体となった形状で、腰回り固定具（５２）の部分が腰回りを押さえるように弾力的に可動する形状記憶的材質で一体成形された腰椎矯正具。
【請求項１１】
腰当て具と腰回り固定具からなる腰椎矯正具において、腰回り固定具（６２）が、腰当て隙間程度の径をもつ複数の当て具本体（６３）からなる腰当て具（６１）を挿通した状態である腰椎矯正具。
【発明の詳細な説明】
【０００１】
【発明の属する技術分野】
本発明は、腰椎部位に当て具を応当させることにより、脊椎を正しいＳ字に矯正する腰椎矯正具を提供する。
【０００２】
【従来の技術】
従来は、クッション性能を重視した軟質材使用の腰当て具が主流であった。（特開平０９−２２４９６６、特開平０７−３２８０４９、特開平０７−２８９５７２など）
【０００３】
【発明が解決しようとする課題】
腰当て具に硬質材を使用した時は、腰椎の骨の部分が当たって痛いなどの不都合がある一方、軟材質の腰当て具は、時間の経過とともにつぶれやすい不都合があった。
【０００４】
人の脊椎はＳ字に湾曲しているるため、仰臥姿勢（あおむけ）をとった時、身体を支えるマットや床の線と、腰椎との間には隙間ができる（以後、この隙間を「腰当て隙間」と呼ぶ）。  この隙間の大小は個人的に差異があり、またＳ字の湾曲をただ支えるのか、もっと積極的に腰椎部位を押し出すようにするかなどの目的で、腰当て隙間の調節ができることが必要であり、また当てる位置やそれらの調節が簡単にはやくできることなども必要である。
【０００５】
横臥姿勢をとった時にも、身体を支えるマットや床の線と、胴部との間には隙間ができ、この部分の隙間の調節も必要である。  本発明は以上のひとつ以上の課題を解決するものである。
【０００６】
【課題を解決するための手段】腰当て具を覚醒時に使用の時は、腰当て具単体で腰椎に応当するようにセットすればよい。  睡眠時に使用の時は、腰当て具を腰椎の応当部位に固定するための腰回り固定具として帯やバンドを使用し、この帯等を装着する。  具体的には、帯に腰当て具を入れるポケット部を形成する、帯状の布等を２枚重ねた間に腰当て具を挟む、また腰当て具を収納する袋をつくり、この袋を帯やベルト等に固定するなどである。
【０００７】
硬質材でつくる腰当て具について、骨の部分が当たって痛いなどは、くぼみを形成して骨あたりを防止する、又は複数の腰当て具を使うことでその間に適当な間隔をつくることでくぼみ形成と同効果をだす、またクッション材を使うなどで解決する。
【０００８】
軟質材でつくる腰当て具については、つぶれやすい不都合を解決する方法として、中空の腰当て具のなかに空気や水を入れる方法をとる。
【０００９】
腰当て隙間の調節方法については、腰当て具にクッション材や布を当ててそれを増減させることや、空気や水の入れ具合で調節する。
【００１０】
【発明の実施の形態】
発明の実施の形態を実施例にもとずき図面を参照して説明する。
図１の腰椎矯正具では、帯状の腰回り固定具１２のポケット１ａに、腰当て具１１を入れ、腰回り固定具１２を腰に巻き、止着部１７で帯を固定して装着する。  仰臥した時に腰当て具１１が腰椎を押圧して支え、脊椎を正しいＳ字形に保持、矯正する。
【００１１】
腰当て具は、身辺周辺にある適当なものを使用できるが、タオルなどを丸めてポケット１ａに入れて腰当て具とすることもできる。  ポケット１ａを形成する代わりに、腰回り固定具１２を２枚重ねた間に腰当て具１１をはさみ込むようする、また、巾広のものを折り返して２枚重ねた状態にしてはさみ込むなどすれば、ポケット１ａは必要ない。
【００１２】
止着部１７はここでは、面ファスナーを使用している。  伸縮性のある筒型の腰回り固定具を頭からかぶって腰回りでとめる形式のものであれば、止着部１７は当然必要ない。  クッション材１８は、面ファスナーで腰回り固定具１２に取り付けてあるが、これをはがしてポケット１ａに入れ、その枚数により腰当て高さの調節ができるとともにクッション材としても使用できる。
【００１３】
脊椎保護部６のくぼみは、腰椎の骨の当たりをにがす目的で形成されている。
クッション材が同位置にある場合はくぼみを必要としない。  クサビ部１５は、就寝使用時に寝返りをうった時、腰椎部に異和感を与えずにスムーズな動きができるように、角を丸めてクサビ形にしてある。
【００１４】
ベルト取付部１４を利用して、ズボンやチョッキなどの縁に連結させ、腰当て具１１を単体の状態での使用が可能。  腰回り固定具１２は、体にフィットするチョッキなどの上衣と連結した形状にすれば、体への固定状態がよりよくなる。
【００１５】
図２の上図は、ズボンのバンド状の腰回り固定具２２に腰当て具収納体２９を取り付けた腰椎矯正具である。  腰当て具収納体２９の中に各種の腰当て具を収納したのち腰に巻いてバックル状の止着部２７で固定し身体に装着する。  ズボンのバンド状の腰回り固定具２２が、輪ゴム状であって頭からかぶって腰回りでとめるような形式のものであれば、当然止着部２７は必要ない。  腰当て具収納体２９は、面ファスナーなどを介して、図１の腰回り固定具１２などの帯状の腰回り固定具に取り付けることができる。  そのときポケット１ａは不要。
【００１６】
図２の下図は、透明なホース状又はチューブ状の腰当て具収納体２９で、複数個の当て具本体２３からなる腰当て具２１が入っている腰椎矯正具である。  当て具本体２３は、気体が封入されたテニスボール状や固いビリヤード球状などのものであるが、当て具本体２３同士の間の隙間が脊椎保護部２６となっている。
【００１７】
図３の腰椎矯正具は、当て具本体３３がゴムやプラスチックの中空の成形品である腰当て具３１を使用するものである。  キャップ３ａをはずして、気体、液体、流動体などの充填物３ｂを充填して使用する。  空気の充填は、当て具本体３３を適当につぶした状態でキャップ３ａを締め付ければ充填量を調節できる。
【００１８】
当て具本体３３の肉厚を、腰椎部の体重を支えられる程度の強度に成形することにより、キャップ３ａや充填物３ｂを使用せず、中空のままで使用する成形品をつくることも可能。  使用方法は、腰当て具収納体２９に入れたり、ベルト取付部３４、３４にベルトやひもを取り付けるなど。
【００１９】
図４の腰椎矯正具は、当て具本体４３の断面が円形であり、その直径が腰当て隙間程度である腰当て具４１をもつものである。  当て具本体４３の形状は、図では脇腹もカバーする長さであるが、短いものでもよく、また、ホースのように中空であるか否かの場合に分類され、さらに中空の場合はなかに別の当て具本体がある場合や気体等の充填物が充填されている場合などに分けられる。  ホース状であっても、蛇腹状やコイル状（金属線コイルを骨格として、コイルの線部分をゴムや合成樹脂で被膜した中空状のもの）など、山と谷がある形状のものに分類できる。
【００２０】
クッション材４８により脊椎保護部４６を形成しているが、これは当て具本体４３の硬軟の状態により、任意に取り付け、柔らかい材質であれば、ひとつでも脊椎保護部４６となりうる。  留め具４７はひもやバンドを当て具本体４３に接続するか、中空である時は、その中を挿通させてもよい。
【００２１】
図５の腰椎矯正具は、中空パイプの腰当て具５１に、同じく中空の腰回り固定具５２を内接させ、その中空の中をゴムひも５ａを通して腰回り固定具５２の端部で固定したものである。  腰回り固定具５２、５２を広げて腰に当てれば、ゴムの力で腰を押さえるよう腰回り固定具５２、５２が弾力的に可動して装着できる。
【００２２】
当て具本体５３と腰回り固定具５２をバネを介して接合することでも、同じように弾力的可動を得ることができる。  また、当て具本体５３と腰回り固定具５２が一体となった形状で、弾力的可動を得ることができるように、ゴムやプラスチックの形状記憶的材質を使用して一体成形して製造することができる。  これは自転車のタイヤを円周分割したその分割片が形状記憶的に弾力的可動をするような腰椎矯正具である。
【００２３】
図６の腰椎矯正具は、ひもや鎖を通す穴をあけた球状の当て具本体６３を複数個並べて腰当て具６１とし、それを腰回り固定具６２のひも等で穴を通してまとめたものである。
当て具本体６３の形状は、サッカーボールや楕円の形状などでもよい。
【００２４】
【発明の効果】
本発明は、以上説明したように構成されているので、以下に記載されるような効果を奏する。
【００２５】
帯状の腰回り固定具にポケットを形成したり、帯状を２枚重ねたり、又腰当て具収納体などを使用して、腰当て具を露出させずに包み込むようして保持すれば、腰当て具が床等の直接接触による摩擦を避けられるので腰椎応当位置からのずれを避けることができる、また腰当て具による床等の傷つけを保護する、また身辺周辺にあるタオルや空の液体ボトル等の適当物を腰当て具として使用できる、また腰当て具といっしょにパッドやクッション材を入れることができるので腰当て隙間の調節などができ、また帯状の巾広の腰回り固定具では従来からある骨盤保護のベルトや腰保護のベルトなどと形状的に近いので兼用や共用ができる。  特にポケットの形成又は腰当て具収納体の形成は腰当て具の着脱が容易にでき便利である。
【００２６】
腰当て具の端部がクサビ形状なのは、就寝時の使用中に寝返りをうってもずれにくい効果がある。  硬質材の腰当て具の時、腰当て具に凹部分を形成して脊椎を保護するとともに、直接当たる時の痛みなどに対処している。
【００２７】
腰当て具が着脱可能であることは、腰当て具の種類を入れかえる、また、洗濯時にはずす、などの対処ができる。
【００２８】
中空の腰当て具は軽量性にすぐれている。  充填物（気体、液体、流動体）を充填した場合は、クッション性にすぐれ、またその性能維持の永続性にもすぐれる。  特に気体充填の腰当て具は軽量で頑丈であり、クッション性にすぐれる。
【００２９】
腰当て具に、ズボンのベルトのような細身の形状のものを使用できるように取付部を形成して、該細身ベルト状の腰回り固定具を使用すれば、腰椎矯正具が小型になり、手軽に使用することができる。
【００３０】
腰椎の腰当て具の応当部は、体形のくびれた部分なので、断面が円形になる球や円柱形の腰当て具は、その部分に入り込み易く、また押圧するのに丁度よい形をしている。
【００３１】
中空のホース形状の腰当て具では、脇腹の位置まで巻きつけることにより、ずれの心配がなく、また軽量であり、材質の選び方により弾力性やクッション性を得ることもできる。  蛇腹やコイル状など山と谷がある形状のものでは、押圧部が平坦でなく部分的なので指圧効果も期待できる。  ひもやバンドなどを挿通させ得るので、腰回り固定具の形成が簡単にできる。
【００３２】
脇腹を押さえるように、腰回り固定具が弾力的に可動するタイプでは、腰椎矯正具の着脱が簡単である。  特に、自転車のタイヤを円周分割したその分割片のような一体成形されたものは取り扱いが簡単で、製造コスト的にも有利。
【００３３】
複数の腰当て具を挿通させる串ダンゴ状態では、腰当て具同士の間があくので、これが脊椎保護部の形成ともなり、また球状の頂点で支えるので、指圧効果もある。
【図面の簡単な説明】
【図１】腰当て具と腰回り固定具からなる腰椎矯正具の斜視図。
【図２】腰当て具収納体とズボンのバンド型の腰回り固定具の斜視図。
【図３】充填物がある腰当て具の断面図。
【図４】断面が円形で中空の腰当て具の斜視図。
【図５】腰当て具と腰回り固定具が一体型の腰椎矯正具の斜視図。
【図６】形態が串ダンゴ状の腰椎矯正具の斜視図。
【符号の説明】
１ａ  ポケット
１１、２１、３１、４１、５１、６１  腰当て具
１２、２２、３２、４２、５２、６２  腰回り固定具
１３、２３、３３、４３、５３、６３  当て具本体
１４、２４、３４、４４  ベルト取付部
１５  クサビ部
１６、２６、３６、４６、５６、６６  脊椎保護部
１７、２７、４７、６７  止着部
１８、４８、５８  クッション材
２９  腰当て具収納体
３ａ  キャップ
３ｂ  充填物
５ａ  ゴムひも
【図１】
2004229783.tif 000003
【図２】
2004229783.tif 000004
【図３】
2004229783.tif 000005
【図４】
2004229783.tif 000006
【図５】
2004229783.tif 000007
【図６】
2004229783.tif 000008